(57)【要約】【課題】居室内の一隅に設置可能で、適度に閉鎖性を有して個人の趣味嗜好を満足させながら、他の家族に与える印象は閉鎖的ではなくむしろ好適なものとなり、自在に移動可能であり、パソコンラックとしても使用できる小型書斎を開発する。【解決手段】内外２重の筐体からなり、上面を机面として用い得る底板を有し、外筐体と内筐体の間に立体物あるいは面状物を展示可能の空間あるいは空隙を有し、内外の筐体の一部又は全部が透明あるいは半透明の素材からなる透過部分を有し、全体が支持卓の上に載置固定されている小型書斎を提供する。【選択図】        図１
2008301991.tif 000002
【特許請求の範囲】
【請求項１】
外筐体と内筐体の２重の筐体からなり、外筐体、内筐体共に正面が開放可能に構成され、上面を机面として用いることのできる底板を有し、外筐体と内筐体の間に立体物あるいは面状物を展示可能の空間あるいは空隙を有し、外筐体の一部又は全部が透明あるいは半透明の素材からなる透過部分を有し、外筐体及び内筐体及び底板の全体が支持卓の上に載置固定されていることを特徴とする小型書斎。
【請求項２】
外筐体と内筐体の２重の筐体からなり、外筐体、内筐体共に正面が開放可能に構成され、上面を机面として用いることのできる底板を有し、外筐体と内筐体の間に立体物あるいは面状物を展示可能の空間あるいは空隙を有し、内筐体の一部又は全部が透明あるいは半透明の素材からなる透過部分を有し、外筐体及び内筐体及び底板の全体が支持卓の上に載置固定されていることを特徴とする小型書斎。
【請求項３】
外筐体と内筐体の一部又は全部が面状物を挟着可能な近接状態にあり、その部分において、外筐体あるいは内筐体あるいは外筐体と内筐体の両者が透明あるいは半透明の素材からなる透過部分となっていることを特徴とする請求項１あるいは請求項２に記載の小型書斎。
【請求項４】
外筐体と内筐体の間に立体物あるいは面状物を展示可能の空間あるいは空隙を確保するために外筐体と内筐体の間に空間確保手段あるいは空隙確保手段が設けられていることを特徴とする請求項１あるいは請求項２あるいは請求項３に記載の小型書斎。
【請求項５】
外筐体と内筐体の間に設けられた空間確保手段が外筐体と内筐体を隔離できる幅を有するスペーサ部材であり、該スペーサ部材に溝部あるいは凹部が設けられていて、該溝部あるいは凹部に、外筐体に設けられた凸部あるいは凸条部、あるいは内筐体に設けられた凸部あるいは凸条部、あるいは外筐体と内筐体の両者に設けられた凸部あるいは凸条部が嵌合することにより、外筐体あるいは内筐体あるいは外筐体と内筐体の両者が固定される構成となっていることを特徴とする請求項４に記載の小型書斎。
【請求項６】
上面を机面として用いることのできる底板にコード類を挿通可能な挿通孔が穿設されていることを特徴とする請求項１あるいは請求項２あるいは請求項３あるいは請求項４あるいは請求項５に記載の小型書斎。
【請求項７】
支持卓の脚の内部にコード類を挿通可能な空間が設けられ、当該の脚の下端部にコード類を外部に導出可能な挿通孔が穿設されていることを特徴とする請求項１あるいは請求項２あるいは請求項３あるいは請求項４あるいは請求項５あるいは請求項６に記載の小型書斎。
【請求項８】
支持卓の天板が、上面を机面として用いることのできる底板が固着される第１天板と、枢軸により第１天板に対して回動可能に設けられた第２天板より構成され、上記枢軸の内部にコード類を挿通できる空間が設けられており、脚は１本で内部に上記枢軸を収納可能な空間が設けられ、脚の下端部にコード類を外部に導出可能な挿通孔が穿設されていることを特徴とする請求項１あるいは請求項２あるいは請求項３あるいは請求項４あるいは請求項５あるいは請求項６に記載の小型書斎。
【発明の詳細な説明】
【技術分野】
【０００１】
本発明は、簡単に設置可能で個人用の空間を確保できる小型書斎に関するものであり、さらに詳しくは、下記の構成を有する小型書斎に関するものである。
＜構成１＞
外筐体と内筐体の２重の筐体からなり、外筐体、内筐体共に正面が開放可能に構成され、上面を机面として用いることのできる底板を有し、外筐体と内筐体の間に立体物あるいは面状物を展示可能の空間あるいは空隙を有し、外筐体の一部又は全部が透明あるいは半透明の素材からなる透過部分を有し、外筐体及び内筐体及び底板の全体が支持卓の上に載置固定されていることを特徴とする小型書斎。
＜構成２＞
外筐体と内筐体の２重の筐体からなり、外筐体、内筐体共に正面が開放可能に構成され、上面を机面として用いることのできる底板を有し、外筐体と内筐体の間に立体物あるいは面状物を展示可能の空間あるいは空隙を有し、内筐体の一部又は全部が透明あるいは半透明の素材からなる透過部分を有し、外筐体及び内筐体及び底板の全体が支持卓の上に載置固定されていることを特徴とする小型書斎。
＜構成３＞
外筐体と内筐体の一部又は全部が面状物を挟着可能な近接状態にあり、その部分において、外筐体あるいは内筐体あるいは外筐体と内筐体の両者が透明あるいは半透明の素材からなる透過部分となっていることを特徴とする構成１あるいは構成２に記載の小型書斎。
＜構成４＞
外筐体と内筐体の間に立体物あるいは面状物を展示可能の空間あるいは空隙を確保するために外筐体と内筐体の間に空間確保手段あるいは空隙確保手段が設けられていることを特徴とする構成１あるいは構成２あるいは構成３に記載の小型書斎。
＜構成５＞
外筐体と内筐体の間に設けられた空間確保手段が外筐体と内筐体を隔離できる幅を有するスペーサ部材であり、該スペーサ部材に溝部あるいは凹部が設けられていて、該溝部あるいは凹部に、外筐体に設けられた凸部あるいは凸条部、あるいは内筐体に設けられた凸部あるいは凸条部、あるいは外筐体と内筐体の両者に設けられた凸部あるいは凸条部が嵌合することにより、外筐体あるいは内筐体あるいは外筐体と内筐体の両者が固定される構成となっていることを特徴とする構成４に記載の小型書斎。
＜構成６＞
上面を机面として用いることのできる底板にコード類を挿通可能な挿通孔が穿設されていることを特徴とする構成１あるいは構成２あるいは構成３あるいは構成４あるいは構成５に記載の小型書斎。
＜構成７＞
支持卓の脚の内部にコード類を挿通可能な空間が設けられ、当該の脚の下端部にコード類を外部に導出可能な挿通孔が穿設されていることを特徴とする構成１あるいは構成２あるいは構成３あるいは構成４あるいは構成５あるいは構成６に記載の小型書斎。
＜構成８＞
支持卓の天板が、上面を机面として用いることのできる底板が固着される第１天板と、枢軸により第１天板に対して回動可能に設けられた第２天板より構成され、上記枢軸の内部にコード類を挿通できる空間が設けられており、脚は１本で内部に上記枢軸を収納可能な空間が設けられ、脚の下端部にコード類を外部に導出可能な挿通孔が穿設されていることを特徴とする構成１あるいは構成２あるいは構成３あるいは構成４あるいは構成５あるいは構成６に記載の小型書斎。
【背景技術】
【０００２】
我が国の住宅事情からすれば、自宅に個人用の書斎を設けられる人は数少ない。多くの人は、勤めから帰ると、狭い居住空間の中で個人の趣味を満足させ得るような空間を持つことができず、家族と共用の空間にて帰宅後の時間を過ごすことを強いられる状況である。特に、子供が独立する前の家庭においては、住居の１乃至２室あるいはそれ以上の部屋を子供部屋として子供に提供せざるを得ないケースも多く、このような家庭においては、父親も母親も自分だけの部屋を持つことがかなわず、特に帰宅後の全ての時間を家族と共に過ごすこととなる父親においては、自分自身の部屋、すなわち専用の書斎空間を持ちたいという欲求が強く現れる結果となっている。
【０００３】
人間の住環境に対する欲求にはさまざまなレベルのものが存するが、とりあえず食べて寝るところが確保されれば、次には自分の精神的な開放感や安らぎを得ることのできる空間を持ちたいと望むのはごく自然な欲求であると思われる。また、世の中にはいろいろな趣味があるが、自分が熱中している趣味嗜好に応じたもので自分のまわりの空間を装飾し、その空間の中で自分の趣味をさまざまに展開させたいというのも自然な欲求である。この点からも、やはり専用の書斎空間を要求する心は普遍的なものといってよいものであると考えられる。
【０００４】
上記のような精神的な開放感や安らぎ、あるいは趣味嗜好の展開に対する欲求を、現在の我が国の住宅事情の中でいかに満たしていくかという、その点を鑑みた小型書斎の開発は、従来から行われている。下記特許文献１、２にその１例を示す。
【０００５】
特許文献１は、屋内空間の一部に設けられる独立した個室としてのカプセルオフィスを提供するもので、出入り口と換気口とを備える外殻で被包して形成した空間に電源コンセントと電話コンセントと机とを設け、出入り口には開閉可能なシャッターを設け、換気口には換気ファンを設けたものである。また、特許文献２においては、住宅における折り返し階段の踊り場や階段下部の凹所に簡単な机を設けて書斎空間とする技術内容が開示されている。
【０００６】
さらに、独立した部屋を設けることは無理としても、自分だけのデスクを部屋の一隅に設けて、そのスペースを書斎がわりとして用いるという発想も従来から行われてきた。下記特許文献３、４に開示されている技術内容は、その１例である。このうち、特許文献３の技術内容は、壁掛け式の折畳みデスクであって、固定ユニットが壁面に固定されており、デスクの天板が固定ユニットに開閉自在とされている。また、特許文献４においては、壁面空間の内部の奥行きを利用して、ライティングデスク形式の折畳みデスクを壁面に埋設固定する技術内容が開示されている。
【０００７】
またさらに、近年ではパーソナルコンピュータの使用が盛んになるにつれ、パーソナルコンピュータを設置するための専用器具である、所謂「パソコンラック」と呼ばれる器具が、個人の書斎的な空間として用いられている例も多い。すなわち、パーソナルコンピュータはその名のとおり、個人的に使用される傾向が強いものであるので、パーソナルコンピュータが設置されているラック自体が、使用者の書斎空間的な意味合いを持ってくるのである。下記特許文献５、６にその１例を示す。
【特許文献１】特開平７‐１１７８９号公報
【特許文献２】特開平１１‐３３６３４４号公報
【特許文献３】実用新案登録第３０９４５５７号公報
【特許文献４】実開平７‐１８６３９号公報
【特許文献５】特開２００１‐２２３４８８号公報
【特許文献６】特開２００５‐１１８５０３号公報
【発明の開示】
【発明が解決しようとする課題】
【０００８】
上述のように、居室内に個人の書斎空間を設けようとする試みは様々になされてきた。しかしながら、使用者が満足感を抱けるような小型書斎というものは、これまでなかなか登場しなかったように思われる。
【０００９】
例えば、特許文献１のカプセルオフィスは、なるほど空間的な隔離性は充分であり、シャッターを閉じてしまえば内部は略完全に個人用の空間とすることができる。電源コンセント、電話コンセント、換気ファンまで装備されているので、これはもう既に１個の独立した部屋とでもいい得る空間として形成されている。
【００１０】
しかしながら、閉鎖性が高い分、その占有するスペースも大きなものとなってしまう。例えばオフィス空間などにおいてこのようなカプセルオフィスを複数設けるという使用法であるならばさほど問題は生じないものと思われるが、我が国の平均的な住宅において室内にこのような閉鎖性の高い空間を設けることは非常に困難であると考えられる。また、仮に設けたとしても、居住性を旨として構成されている室内空間とは調和せず、異様な雰囲気を齎す結果となるのは想像に難くない。
【００１１】
さらには、このカプセルオフィスは床から天井までを占有してしまうので、平面的な空間占有感もさることながら、立体的な空間占有感も大きなものがある。さらに、シャッターを閉じてしまえば外観的には無味乾燥できわめて事務的な印象を与えるので、使用者以外の家族においては不快感や異物感が生じるのもやむをえない。すなわち、使用者は個人的な空間の中で安らぎを味わい、趣味に耽ることができるかもしれないが、無味乾燥な外観を常に見せられる他の家族においては感覚的に耐えられない印象も生まれかねず、ひいては家族不和の原因となってしまうことも充分に考えられる。以上のような理由から、特許文献１のカプセルオフィスを通常の日本の平均的な住居空間に導入するには大きな無理があるものといわねばならない。
【００１２】
次に、特許文献２に開示されている階段を利用した書斎空間であるが、この書斎空間を実現するためには、あらかじめ建築時にそのような設計を施しておかねばならないという困難が存する。あるいは、改造によってそのような空間を確保するにしても費用が嵩むし、確実に他の空間が犠牲になってしまう。そもそも、階段スペースを通常の設計よりかなり広めに取っておかねばならないので、我が国の限られた居住空間の中にこれだけの空間を確保できる人というのは、やはりあまり多くないように思われる。また、占有スペースであるというものの、空間的にはオープンであり、閉鎖性が極めて薄弱である。したがって、書斎空間と呼ぶにはやや印象が弱く、部屋の一隅に机が設けてある状態とさほど変わらない満足感しか得られないものであるといわねばならない。
【００１３】
次に、特許文献３に関しては、壁面から折畳みのデスクの天板が出てくるだけなので、閉鎖性はほとんどなく、部屋の一隅に机が設置してある状態よりも書斎空間としての感触は薄弱となるように思われる。また、特許文献４に関しては、ライティングデスク形式のデスクが壁面に設置され、天板を開けばある程度奥行きのある空間が確保される状態であるので、特許文献３のデスクと比較すればやや書斎的な使用勝手を味わうことができる。しかしながら、室内空間に向かって完全に開かれている状態というのは特許文献３のデスクと基本的に変わりはなく、やはり書斎空間と呼ぶには抵抗を覚えざるをえない。
【００１４】
また、特許文献４のデスクにおいては、壁面内部にある程度の空間のある住居条件においてでなければ実現できないという欠陥が存する。我が国の住宅事情を鑑みた場合、特許文献４のデスクを実現することのできる建築物は自ずから限定されてくるであろうし、また、設置にあたっては壁面に孔を空ける等の工事が必要になる。この点は、費用がかかるという点を除いても、賃貸住宅ではまず不可能なことであるので、実施可能な世帯はやはり限られてくる。またさらに、壁面設置型のこのようなデスクの欠点としては、居住空間内の一点に固定されてしまい、移動させるのが不可能であるという点が挙げられる。すなわち、人間は、住居内にてあちこちと移動するので、自分自身の書斎空間が一定の壁面に固定されてしまうということは真に不便である。
【００１５】
これが例えば、住居の一室を本格的な書斎として用いることができるのであれば、書斎がその部分に固定されていたとしても不満は出ない。しかしながら、書斎が居室内の１壁面に固定されてしまうという状況においては、例えば次のような状況になった際に、非常に困る事態とならざるをえない。すなわち、デスクとしての書斎空間が居間の１壁面に構成されている場合、休日に、子供の友人たちがやってきて、居間でパーティを開くといった状況である。そうすると、パーティが開かれている間、父親あるいは母親は、居間の１壁面に設置された自分のデスクを用いることをあきらめざるを得ない。あるいは、用いることはできたとしても、子供たちの歓声の中で作業をしなければならず、書斎的な落ち着きは望むべくもない。こういった場合には、例えば自分のデスクを寝室に移して用いるといったことができれば問題は解消するが、壁面固定式のデスクでは、それは不可能である。
【００１６】
次に、特許文献５、６のパソコンラック形式の書斎空間についてであるが、特許文献５はキーボード用テーブルとマウス用テーブルを、非使用時にはコンパクトな筐体内部に収容できるように構成した点が特徴である。しかしながら、この事例においても、個人的な書斎空間を確保するという方向からはかなり遠いものであり、特許文献３の壁面収納型デスクがキーボードテーブルとマウステーブルに置換されたものという印象を払拭しえない。また、特許文献６のデスクは、パソコン不使用時には通常の平面デスクとして用いることができ、パソコン使用時には電動にてパソコンが立体的に起立してくる仕組みを開示している。これは確かに、ときには手書きでときにはパソコンで手紙や書類を作る人にとっては便利なアイデアであるということができるが、しかしながら全体はやはり単なるデスクであって、書斎空間とは言い難いものである。
【００１７】
以上の事例を分析して判明することは、我が国の住宅事情に丁度適合した小型書斎の導入にあたっては、居室内の一隅に設けるという前提の場合、閉鎖性が高ければ高いほど良いというわけではなく、例えば特許文献１のように極めて閉鎖性が高い空間を形成してしまうと、居室内にて大きな違和感を生じ、使用者には心地よい空間ができたとしても、他の家族にとっては、極端にいえば邪魔物以外のなにものでもないものとなるということである。
【００１８】
しかるに、例えば特許文献３〜６の事例においては、逆に閉鎖性が薄弱すぎて、使用者においては、自分自身の独立した書斎空間を確保しているという意識は極めて持ちにくい。すなわち、居室内に自分の机があるという以上の独立したスペース意識は生じにくいものであるといわねばならない。また、特許文献２においては、前述のように、ある程度の空間を建築設計時に確保しておかねばならないので、我が国の住宅事情からすると現実的とはいえないし、また実現できたとしても、書斎空間としての閉鎖性には欠けるものである。
【００１９】
上記から、本発明の課題を、以下のように設定した。
＜課題１＞
我が国の平均的な住宅事情の中で、居室内の一隅に設けるという前提で、適度な閉鎖性を有した個人的な書斎空間を実現したい。
＜課題２＞
その際、余りに極端な閉鎖性、たとえば、居住空間の一部を完全に閉鎖してしまうほどの閉鎖的な空間を実現してしまうと、使用者には使い勝手が良くても、他の家族にとっては違和感の強い空間となり、ひいては邪魔物扱いされてしまう可能性もある。したがって、適度に閉鎖性を有しながら、他の家族に与える印象はむしろ好適なものとなるような書斎空間の実現を目指したい。
＜課題３＞
壁面固定式のデスクに見られるような、一定位置に設置するとそこから動かすことができないといった不便さを有しない小型書斎を開発したい。例えば、状況によって、居間に設置したり寝室に設置したり、あるいは他の部屋に設置したりと自在に移動可能なものとしたい。また、寝室に設置した場合には、ベッドに入った状態で、あるいはベッドに腰かけた状態で使えるものとすることができれば理想的である。
＜課題４＞
上述のように、最近ではパーソナルコンピュータがある場所が書斎がわりとして用いられる事例が増加している。したがって、パーソナルコンピュータを楽に設置できるような構成の小型書斎の開発を考える。
【課題を解決するための手段】
【００２０】
本発明は、上記課題を解決するためになされたものであって、以下の解決手段を提供するものである。
＜解決手段１＞
外筐体と内筐体の２重の筐体からなり、外筐体、内筐体共に正面が開放可能に構成され、上面を机面として用いることのできる底板を有し、外筐体と内筐体の間に立体物あるいは面状物を展示可能の空間あるいは空隙を有し、外筐体の一部又は全部が透明あるいは半透明の素材からなる透過部分を有し、外筐体及び内筐体及び底板の全体が支持卓の上に載置固定されていることを特徴とする小型書斎。
＜解決手段２＞
外筐体と内筐体の２重の筐体からなり、外筐体、内筐体共に正面が開放可能に構成され、上面を机面として用いることのできる底板を有し、外筐体と内筐体の間に立体物あるいは面状物を展示可能の空間あるいは空隙を有し、内筐体の一部又は全部が透明あるいは半透明の素材からなる透過部分を有し、外筐体及び内筐体及び底板の全体が支持卓の上に載置固定されていることを特徴とする小型書斎。
＜解決手段３＞
外筐体と内筐体の一部又は全部が面状物を挟着可能な近接状態にあり、その部分において、外筐体あるいは内筐体あるいは外筐体と内筐体の両者が透明あるいは半透明の素材からなる透過部分となっていることを特徴とする解決手段１あるいは解決手段２に記載の小型書斎。
＜解決手段４＞
外筐体と内筐体の間に立体物あるいは面状物を展示可能の空間あるいは空隙を確保するために外筐体と内筐体の間に空間確保手段あるいは空隙確保手段が設けられていることを特徴とする解決手段１あるいは解決手段２あるいは解決手段３に記載の小型書斎。
＜解決手段５＞
外筐体と内筐体の間に設けられた空間確保手段が外筐体と内筐体を隔離できる幅を有するスペーサ部材であり、該スペーサ部材に溝部あるいは凹部が設けられていて、該溝部あるいは凹部に、外筐体に設けられた凸部あるいは凸条部、あるいは内筐体に設けられた凸部あるいは凸条部、あるいは外筐体と内筐体の両者に設けられた凸部あるいは凸条部が嵌合することにより、外筐体あるいは内筐体あるいは外筐体と内筐体の両者が固定される構成となっていることを特徴とする解決手段４に記載の小型書斎。
＜解決手段６＞
上面を机面として用いることのできる底板にコード類を挿通可能な挿通孔が穿設されていることを特徴とする解決手段１あるいは解決手段２あるいは解決手段３あるいは解決手段４あるいは解決手段５に記載の小型書斎。
＜解決手段成７＞
支持卓の脚の内部にコード類を挿通可能な空間が設けられ、当該の脚の下端部にコード類を外部に導出可能な挿通孔が穿設されていることを特徴とする解決手段１あるいは解決手段２あるいは解決手段３あるいは解決手段４あるいは解決手段５あるいは解決手段６に記載の小型書斎。
＜解決手段８＞
支持卓の天板が、上面を机面として用いることのできる底板が固着される第１天板と、枢軸により第１天板に対して回動可能に設けられた第２天板より構成され、上記枢軸の内部にコード類を挿通できる空間が設けられており、脚は１本で内部に上記枢軸を収納可能な空間が設けられ、脚の下端部にコード類を外部に導出可能な挿通孔が穿設されていることを特徴とする解決手段１あるいは解決手段２あるいは解決手段３あるいは解決手段４あるいは解決手段５あるいは解決手段６に記載の小型書斎。
【発明の効果】
【００２１】
本発明の解決手段１の発明によれば、外筐体と内筐体の２重の筐体からなり、外筐体、内筐体共に正面が開放可能に構成され、上面を机面として用いることのできる底板を有し、外筐体と内筐体の間に立体物あるいは面状物を展示可能の空間あるいは空隙を有し、外筐体の一部又は全部が透明あるいは半透明の素材からなる透過部分を有し、外筐体及び内筐体及び底板の全体が支持卓の上に載置固定されているので、使用者においては、使用時に自分の上半身の前面が、内外２重の筐体に被覆されているという使用感があり、個人の書斎的なある程度の閉鎖性を感じることが可能である。したがって、使用者は安らぎや開放感を感じることができ、また内部を自分の趣味空間として構成することも可能である。
【００２２】
また、使用者以外の家族が該小型書斎を外側から見た場合にも、外筐体の一部又は全部が透明あるいは半透明の素材からなり、そこから人形やモデルカーや植物等の立体物あるいは絵や写真等の面状物を展覧することができるので、使用者以外の人が極度の閉鎖性を感じることがない。すなわち、この小型書斎は、外側から見た場合でもミニ展示ケースともいうべき情趣豊かな外観を有しており、使用者以外の人の目も充分に楽しませることができるものである。
【００２３】
さらにまた、この小型書斎は、全体が支持卓の上に載置固定されている状態であるので、支持卓ごと別の場所に移動することも簡単に行うことが可能である。あるいは、上部だけを支持卓から外して、別の場所にある別の支持卓に載置固定することも簡単に行うことができる。これにより、居住空間の使用状況に応じて、様々な場所に移動可能であり、使い勝手の可能性を豊かに広げることができるものである。
【００２４】
次に、本発明の解決手段２の発明においては、外筐体と内筐体の２重の筐体からなり、外筐体、内筐体共に正面が開放可能に構成され、上面を机面として用いることのできる底板を有し、外筐体と内筐体の間に立体物あるいは面状物を展示可能の空間あるいは空隙を有し、内筐体の一部又は全部が透明あるいは半透明の素材からなる透過部分を有し、外筐体及び内筐体及び底板の全体が支持卓の上に載置固定されているので、使用者自身が内部から絵や写真等の面状物体あるいは人形やモデルカーや鉢植え等の立体物を見ることができる。
【００２５】
一般的にいって、「自分専用の空間である」という意識が生じるためには、自分を取り巻く空間内部に、自分の好む装飾品を展示できるような構成が不可欠である。例えば、山の好きな人であれば世界の名山の写真や自分が登った山の写真、あるいはランタンやミニサイズのピッケル、登山帽といった装飾品を飾ることにより自在に山に思いを馳せる空間を造ることができるし、海の好きな人であれば世界各地の海洋の写真や魚、サンゴ礁などの写真、船の写真や模型、マドロスパイプや錨、舵輪の模型などを飾ることによって、さながら海にいるがごとき感触を味わうことも可能である。同様に、車が好きな人はミニカー、電車の好きな人は車両模型、植物の好きな人は植物の写真や小サイズの鉢植えなどを飾って「自分の空間」を形成することが可能である。
【００２６】
また、本発明の解決手段２の発明において、外筐体においてもその一部又は全部が透明あるいは半透明の素材からなる透過部分を有する状態とすることも無論可能であるが、この場合には、展示品を内側からも外側からも展覧できる状態とすることができるので、外観上も豊かな趣味に溢れた小型書斎とすることが可能であるし、内部に外光を取り入れる窓とすることもできる。あるいは、もし、使用者と他の家族の趣味が合わないような場合には、絵や写真等の平面物であれば内向きと外向きの絵や写真の種類を変えることにより、内側は使用者の趣味に合った空間として構成しつつ、外観は他の家族にも快く受け容れられるような外観のものとすることが可能である。
【００２７】
また、立体物の場合においては、使用者の趣味に合った立体物を展示する空間においては内筐体に透明部分を設けて外筐体は不透明にし、他の家族にも好まれる立体物を展示する空間においては逆の構成、すなわち、外筐体に透明部分を設けて内筐体は不透明にすることにより対応可能である。このように、内観と外観を自在に構成可能であるので、使用者においては適切な閉鎖性を有した趣味の空間を確保しつつ、他の家族にも好まれる印象の外観を有する小型書斎とすることが可能である。
【００２８】
次に、本発明の解決手段３の発明においては、外筐体と内筐体の一部又は全部が面状物を挟着可能な近接状態にあり、その部分において、外筐体あるいは内筐体あるいは外筐体と内筐体の両者が透明あるいは半透明の素材からなる透過部分となっているので、絵や写真等の面状物体を展示する際に、展示用の額縁等の展示手段が不要である。すなわち、絵や写真等の面状物体は外筐体と内筐体の間の狭小な間隙に挟着された状態であり、外筐体と内筐体の当該部分がそのまま絵や写真等の面状物体を保持展示する額縁の役割を果たすものである。
【００２９】
また、この際には、外筐体と内筐体の双方を透明状態にすれば、内側からも外側からも絵や写真等の面状物体を展覧できる状態とすることができるし、外筐体と内筐体のどちらかを透明状態にすれば、透明にした側からの展覧のみが可能となるような状態を作ることが可能である。ただし、外筐体と内筐体の双方を透明状態とした場合には、絵や写真等の面状物体が透明あるいは半透明素材からなるものである場合を除き、２枚の絵や写真等の面状物体を、その背面を当接させた状態で挟着することが必要となる。
【００３０】
次に、本発明の解決手段４の発明においては、外筐体と内筐体の間に立体物あるいは面状物を展示可能の空間あるいは空隙を確保するために外筐体と内筐体の間に空間確保手段あるいは空隙確保手段が設けられているので、絵や写真等の面状物体あるいは人形やモデルカーや鉢植え等の立体物を展示可能の空間あるいは空隙を安定的に確保することが可能である。すなわち、外筐体と内筐体の間に一定の間隔を保持できるスペーサ部材を設置することにより空間確保手段が実現される。
【００３１】
これにより、本発明の小型書斎を移動する場合にも絵や写真等の面状物体あるいは人形やモデルカー等の立体物が安定的に展示された状態での移動が可能となるし、また、使用者や家族の誰かが本発明の小型書斎の一部に身体の一部を衝突させた場合においても、衝撃で展示空間あるいは展示空隙自体のサイズが変動するという事態も予防できるものである。
【００３２】
また、本発明の解決手段５の発明においては、外筐体と内筐体の間に設けられた空間確保手段が外筐体と内筐体を隔離できる幅を有するスペーサ部材であり、該スペーサ部材に溝部あるいは凹部が設けられていて、該溝部あるいは凹部に、外筐体に設けられた凸部あるいは凸条部、あるいは内筐体に設けられた凸部あるいは凸条部、あるいは外筐体と内筐体の両者に設けられた凸部あるいは凸条部が嵌合することにより、外筐体あるいは内筐体あるいは外筐体と内筐体の両者が固定される構成となっているので、組立ての際に、外筐体あるいは内筐体の位置固定が容易に行え、さらに使用中にも外筐体あるいは内筐体の位置固定を確実に持続できる。
【００３３】
さらに、本発明の解決手段６の発明においては、上面を机面として用いることのできる底板にコード類を挿通可能な挿通孔が穿設されているので、パソコンラックとして用いることも可能である。また、内部の照明やコンセント類からのコードの処理も極めて楽である。
【００３４】
またさらに、本発明の解決手段７の発明においては、支持卓の脚の内部にコード類を挿通可能な空間が設けられ、当該の脚の下端部にコード類を外部に導出可能な挿通孔が穿設されているので、コード類が支持卓の下側空間において絡んだり、あるいは使用者の足に引っ掛かったりすることがない。
【００３５】
あるいはさらに、本発明の解決手段８の発明においては、支持卓の天板が、上面を机面として用いることのできる底板が固着される第１天板と、枢軸により第１天板に対して回動可能に設けられた第２天板より構成され、上記枢軸の内部にコード類を挿通できる空間が設けられており、脚は１本で内部に上記枢軸を収納可能な空間が設けられ、脚の下端部にコード類を外部に導出可能な挿通孔が穿設されているので、ベッドの上で用いたり、あるいはベッドに腰かけて用いたりとさまざまな用い方が可能となる。
【発明を実施するための最良の形態】
【００３６】
本発明を実施するための最良の形態を、以下に図面を参照しながら詳細に説明する。
【実施例１】
【００３７】
図１〜図１２に本発明の実施例１の小型書斎１を示す。小型書斎１は外筐体２と内筐体３の２重の筐体からなり、外筐体２、内筐体３共に正面が開放可能に構成され、上面を机面として用いることのできる底板４を有し、外筐体２と内筐体３の間に立体物ＳＯあるいは面状物ＰＬを展示可能の空間Ｓを有し、外筐体２の一部又は全部が透明あるいは半透明の素材からなる透過部分Ｔ１〜Ｔ４を有し、内筐体３の一部が透明あるいは半透明の素材からなる透過部分Ｔ５〜Ｔ９を有し、外筐体２及び内筐体３及び底板４の全体が支持卓６の上に載置固定されている。
【００３８】
外筐体２は、図９ａ、図９ｂに見るように、長方形状の上板２１、長方形状の左側板２２、長方形状の右側板２３、長方形状の脊板２４から構成されており、正面と底面が開放状態となっている。左側板２２には透明素材からなる長方形の窓状の透過部分Ｔ１が、右側板２３には透明素材からなる長方形の窓状の透過部分Ｔ２が、脊板２４には透明素材からなる円形の窓状の透過部分Ｔ３と長方形の窓状の透過部分Ｔ４が、夫々設けられている。透過部分Ｔ１〜Ｔ４の詳細な構成については後述する。
【００３９】
また、左側板２２の右側面下端には長方形状の小片である固定片ＳＴ１が、右側板２３の左側面下端には長方形状の小片である固定片ＳＴ２が、脊板２４の正面下端には長方形状の小片である固定片ＳＴ３が、夫々突設されている。固定片ＳＴ１は、後に説明する空間確保手段５の溝部５１ｆに嵌入され、固定片ＳＴ２は、後に説明する空間確保手段５の溝部５２ｆに嵌入され、固定片ＳＴ３は、後に説明する空間確保手段５の溝部５３ｆ及び底板４の脊板４３の溝部４３ａに嵌入される構成である。
【００４０】
内筐体３は、図１０ａ、図１０ｂに見るように、略長方形状の上板３１、長方形状の左側板３２、長方形状の右側板３３、長方形状の脊板３４、上板３１の正面に開閉自在に蝶着された庇板３５、左側板３２の正面に開閉自在に蝶着された支承板３６、右側板３３の正面に開閉自在に蝶着された支承板３７から構成されており、正面と底面が開放状態となっている。
【００４１】
また、左側板３２の左側面下端には平面視が三角形状の小片である固定片ＳＴ４が、右側板３３の右側面下端には平面視が三角形状の小片である固定片ＳＴ５が、夫々突設されている。固定片ＳＴ４は、後に説明する空間確保手段５の凹部５１ｃに嵌入され、固定片ＳＴ５は、後に説明する空間確保手段５の凹部５２ｃに嵌入される構成である。
【００４２】
庇板３５は、開状態にては図４に見るように上板３１に水平に連接された状態で小型書斎１の正面の庇となり、閉状態にては図５のように下方に垂直に折り下げられて底板４の展開板４２と協働して小型書斎１全体の正面を閉鎖する扉となる。庇板３５は、その奥行きにおいて、左方が長く、右方が短く、端部３５ａの中間部分は自然な曲線を描くように構成されている。端部３５ａの形状は、図５に見るように、庇板３５の閉状態において、底板４の閉状態の展開板４２の端部４２ａの形状と一致するように構成されている。
【００４３】
なお、支承板３６、３７は、図１０ａに見るように、庇板３５が開状態の際に開状態とされて庇板３５を支えるための部材である。図１０ａにおいては、庇板３５は支承板３６、３７により支持されているが、支承板３６、３７に変えて適宜金属製のステー等他の構成を用いることができるのはいうまでもない。
【００４４】
上板３１には透明素材からなる円形の窓状の透過部分Ｔ５が、左側板３２には透明素材からなる長方形の窓状の透過部分Ｔ６が、右側板３３には透明素材からなる長方形の窓状の透過部分Ｔ７が、脊板３４には透明素材からなる円形の窓状の透過部分Ｔ８と長方形の窓状の透過部分Ｔ９が、夫々設けられている。透過部分Ｔ６〜Ｔ９の詳細な構成については後述する。
【００４５】
上板３１には後方に向かうに従い下降する段部Ｒ１が設けられており、
左側板３２には後方に向かうに従い右方に屈折する段部Ｒ２が設けられており、右側板３３には後方に向かうに従い左方に屈折する段部Ｒ３が設けられている。従って、内筐体３は、段部Ｒ１、Ｒ２、Ｒ３により、背面側が正面側に比べて縮小するように構成されている。なお、段部Ｒ１、Ｒ２、Ｒ３の位置は内筐体３の正面よりやや奥に入った部分である。また、上板３１の段部Ｒ１の上面にはスイッチボックスＳＢが、段部Ｒ１の下面には並列する２連のスイッチＳＷ１、ＳＷ２（図４参照）が、夫々設けられている。
【００４６】
底板４は、図１１に見るように略長方形状の本体４１の背面に後述の空間確保手段５と同一の高さの脊板４３が上方に突設固着され、脊板４３には中央からやや左方寄りに溝部４３ａが穿設されている。また、本体４１の正面には展開板４２が開閉自在に蝶着されており、開状態にては図４に見るように本体４１に水平に連接された状態の机の天板となり、閉状態にては図５のように上方に垂直に折り上げられて、内筐体３の庇板３５と協働して小型書斎１全体の正面を閉鎖する扉となる。展開板４２は、その奥行きが左方が短く、右方が長く、端部４２ａの中間部分は自然な曲線を描くように構成されている。端部４２ａの形状は、図５に見るように、閉状態において、上板３の閉状態の庇板３５の端部３５ａの形状と一致するように構成されている。
【００４７】
図１１ａ、図１１ｂに見るように、底板４の本体４１の右後方部には、コードｃ（図１参照）を挿通可能な挿通孔Ｈ１が穿設されている。また、本体４１の４隅には、ネジ孔ｈ１〜ｈ４が穿設されている。ネジ孔ｈ１〜ｈ４は、支持卓６の天板６１の表面４隅に突設固着された円盤状の支承凸部６４ａ〜６４ｄ（図７ｂ参照）に穿設されたネジ孔ｈ５〜ｈ８に対応する。
【００４８】
図１１ａに符号５にて示す部材は空間確保手段であり、スペーサ５１〜５３の３部分のスペーサより成る。図１１ｂはスペーサ５１〜５３を底板４上に配設した状態を示すもので、スペーサ５１は底板４の本体４１の左端に、スペーサ５２は底板４の本体４１の右端に、スペーサ５３は底板４の本体４１の後端に、夫々配置接着される。
【００４９】
スペーサ５１〜５３は外筐体２と内筐体３の間に空間Ｓ（図１参照）を固定的に確保するための部材であるから、外筐体２と内筐体３を底板４に組付けた状態では、外筐体２と内筐体３に挟着固定されるので、底板４に必ずしも固着されている必要はないのであるが、外筐体２と内筐体３を底板４に組付ける際にはスペーサ５１〜５３が固定されていないと不便であるので、底板４に接着により固定されて用いられる。なお、固定方法は、接着に限らず、螺着や嵌着その他の方法を採り得るものである。
【００５０】
スペーサ５１は、図１１ａに見るように、長方形状の本体５１ａの正面に長方形状の斜向板５１ｂが固着され、斜向板５１ｂの後方において本体５１ａの屈曲により右側面側に凹部５１ｃが形成されており、本体５１ａの左側面には短い長方形状の支板５１ｄ、５１ｅが突設固着されている。本体５１ａ、斜向板５１ｂ、凹部５１ｃ、支板５１ｄ、５１ｅはすべて一体として形成され、斜向板５１ｂは、外筐体２と内筐体３を底板４に組付けた状態において、内筐体３の左側板３２の段部Ｒ２（図１０ａ参照）の下端部に背面から当接するように構成されている。
【００５１】
凹部５１ｃは、外筐体２と内筐体３を底板４に組付けた状態において、内筐体３の左側板３２の左側面下端に設けられた固定片ＳＴ４（図１０ｂ参照）が凹部５１ｃに嵌入されるように構成されている。また、支板５１ｃ、５１ｄにより溝部５１ｆが形成されるが、溝部５１ｆは、外筐体２と内筐体３を底板４に組付けた状態において、外筐体２の左側板２２の右側面下端に設けられた固定片ＳＴ１（図９ａ参照）が溝部５１ｆに嵌入されるように構成されている。したがって、スペーサ５１の高さと固定片ＳＴ１、固定片ＳＴ４の高さは同一あるいは略同一となるように構成される。
【００５２】
スペーサ５２は、図１１ａに見るように、長方形状の本体５２ａの正面に長方形状の斜向板５２ｂが固着され、斜向板５２ｂの後方において本体５２ａの屈曲により左側面側に凹部５２ｃが形成されており、本体５２ａの右側面に短い長方形状の支板５２ｄ、５２ｅが突設固着されている。本体５２ａ、斜向板５２ｂ、凹部５２ｃ、支板５２ｄ、５２ｅはすべて一体として形成され、斜向板５２ｂは、外筐体２と内筐体３を底板４に組付けた状態において、内筐体３の右側板３３の段部Ｒ３（図１０ａ参照）の下端部に背面から当接するように構成されている。
【００５３】
凹部５２ｃは、外筐体２と内筐体３を底板４に組付けた状態において、内筐体３の右側板３３の右側面下端に設けられた固定片ＳＴ５（図１０ａ参照）が凹部５２ｃに嵌入されるように構成されている。また、支板５２ｃ、５２ｄにより溝部５２ｆが形成されるが、溝部５２ｆは、外筐体２と内筐体３を底板４に組付けた状態において、外筐体２の右側板２３の左側面下端に設けられた固定片ＳＴ２（図９ｂ参照）が溝部５２ｆに嵌入されるように構成されている。したがって、スペーサ５２の高さと固定片ＳＴ２、固定片ＳＴ５の高さは同一あるいは略同一となるように構成される。
【００５４】
スペーサ５３は、図１１ａに見るように、長い長方形状の本体５３ａの左端背面に短い長方形状の支板５３ｂが固着され、本体５３ａの右端背面に短い長方形状の支板５３ｃが固着され、本体５３ａの背面の中央からやや左方寄りに短い長方形状の支板５３ｄ、５３ｅが固着され、支板５３ｄ、５３ｅの間に溝部５３ｆが形成されている。本体５３ａ、支板５３ｂ、５３ｃ、５３ｄ、５３ｅはすべて一体として形成され、本体５３ａは、外筐体２と内筐体３を底板４に組付けた状態において、内筐体３の脊板３４の（図１０ｂ参照）の下端部に背面から当接するように構成されている。
【００５５】
また、支板５３ｂはその左側面がスペーサ５１の本体５１ａの右側面後端部に当接するように構成され、支板５３ｃはその右側面がスペーサ５２の本体５２ａの左側面後端部に当接するように構成されている。さらに、溝部５３ｆは、底板４の脊板４３の溝部４３ａに一致するように構成されている。また、溝部５３ｆは、外筐体２と内筐体３を底面４に組付けた状態において、外筐体２の背板２４の正面下端に設けられた固定片ＳＴ３（図９ａ参照）が溝部５３ｆ及び溝部４３ａに嵌入されるように構成されている。したがって、スペーサ５３の高さと固定片ＳＴ３の高さは同一あるいは略同一となるように構成される。
【００５６】
支持卓６は、図７ｂ（平面図）、図１２に見るように、長方形状の天板６１と４本の脚６２ａ〜６２ｄ、３本の桟６３ａ〜６３ｃより構成されている。天板６１の表面には、４隅に薄い円盤状の支承凸部６４ａ〜６４ｄが突設固着されており、支承凸部６４ａの中心にはネジ孔ｈ５が、支承凸部６４ｂの中心にはネジ孔ｈ６が、支承凸部６４ｃの中心にはネジ孔ｈ７が、支承凸部６４ｄの中心にはネジ孔ｈ８が、夫々穿設されている。小型書斎１の底面４を支持卓６に組付けた際に、ネジ孔ｈ５は底板４の本体４１のネジ孔ｈ１に、ネジ孔ｈ６は底板４の本体４１のネジ孔ｈ２に、ネジ孔ｈ７は底板４の本体４１のネジ孔ｈ３に、ネジ孔ｈ８は底板４の本体４１のネジ孔ｈ４に、夫々重なる位置に穿設されている。なお、支承凸部６４ａ〜６４ｄは、ネジ孔ｈ５〜ｈ８以外の部分を弾性体製とすることにより、その上に載置される外筐体２、内筐体３、底板４の安定性を高めることができる。
【００５７】
また、支承凸部６４ｄのやや前方にはコードｃ、ｃ、……（図１２参照）が挿通される挿通孔Ｈ２が穿設されているが、挿通孔Ｈ２は小型書斎１の底面４を支持卓６に組付けた際に、底板４の本体４１の挿通孔Ｈ１に重なる位置に穿設されている。また、脚６２ｄの内部は中空になっていて、コードｃ、ｃ、……は脚６２ｄの下方の桟６３ｂとの接続部分に穿設された挿通孔Ｈ３から外部に導出される。なお、Ｃは桟６３ｂ上に載置固定されたコンセントで、コンセントｃからのコードｃは再び挿通孔Ｈ３から脚６２ｄの中に入り、脚６２ｄの下端部背面に穿設された挿通孔Ｈ４から外部に導かれる。
【００５８】
支持卓６の天板６１の正面側には、左方に支承板６５が、右方に支承板６６が、夫々天板６１に対して回動自在に枢設されている。支承板６５は長円形状の本体６５ａの一端が枢軸６５ｂによって天板６１に枢設され、支承板６６は長円形状の本体６６ａの一端が枢軸６６ｂによって天板６１に枢設されている。支承板６５、６６は、通常は、図７ｂ、図１２に実線にて示すように、本体６５ａ、６６ａの長軸方向が天板６１の長手方向に平行になるように畳まれているが、図２に示すように小型書斎１の底板４の展開板４２が前方に展開された際には、展開板４２を支承するために、図７ｂ、図１２に２点鎖線にて示すように、本体６５ａ、６６ａの長軸方向が天板６１の長手方向に直角になるように前方に回動させられるものである。
【００５９】
次に、実施例１の小型書斎１の組付け構成について詳述する。実施例１の小型書斎１を組付けるにあたっては、まず支持卓６の天板６１に底板４の本体４１を螺着する。すなわち、天板６１の支承凸部６４ａのネジ孔ｈ５に底板４の本体４１のネジ孔ｈ１を重ね、天板６１の支承凸部６４ｂのネジ孔ｈ６に底板４の本体４１のネジ孔ｈ２を重ね、天板６１の支承凸部６４ｃのネジ孔ｈ７に底板４の本体４１のネジ孔ｈ３を重ね、天板６１の支承凸部６４ｄのネジ孔ｈ８に底板４の本体４１のネジ孔ｈ４を重ね、ネジ孔１とネジ孔５を、ネジ孔２とネジ孔６を、ネジ孔３とネジ孔７を、ネジ孔４とネジ孔８を、夫々ネジ（図示せず）により螺着固定する。これにより、底板４の本体４１は支持卓６に螺着固定される。この際、底板４の本体４１に穿設された挿通孔Ｈ１は支持卓６の本体６１に穿設された挿通孔Ｈ２に完全に重なる。
【００６０】
次に、底板４の上に、内筐体３を載置する。この際、底板４の本体４１の表面には、既にスペーサ５１〜５３が適性位置に固着された状態（図８ｂ、図１１ｂ参照）であるので、既にスペーサ５１〜５３によって本体４１上に形成される空間確保手段５に内筐体３の下端部を嵌めこむことにより、内筐体３の位置は固定される。
【００６１】
すなわち、内筐体３の左側板３２の後部の左側面をスペーサ５１の本体５１ａの右側面に当接させ、左側板３２の段部Ｒ２の背面をスペーサ５１の斜向板５１ｂの正面に当接させ、左側板３２の固定片ＳＴ４をスペーサ５１の凹部５１ｃに嵌着させ、内筐体３の右側板３３の後部の右側面をスペーサ５２の本体５２ａの左側面に当接させ、右側板３３の段部Ｒ３の背面をスペーサ５２の斜向板５２ｂの正面に当接させ、右側板３３の固定片ＳＴ５をスペーサ５２の凹部５２ｃに嵌着させ、内筐体３の脊板３４の下部背面をスペーサ５３の本体５３ａの正面に当接させることにより、内筐体３の位置は固定される。
【００６２】
内筐体３は、固定片ＳＴ４が凹部５１ｃに嵌着され、固定片ＳＴ５が凹部５２ｃに嵌着されることによりその位置は安定するので、底板４の本体４１あるいは空間保持手段５のスペーサ５１〜５３に対してさらに堅固に固着させる必要はないが、内筐体３の重量が軽い場合や、安定性に不安を感じる場合には、内筐体３の下端部分を適宜空間保持手段５のスペーサ５１〜５３に螺着等により固着することも当然可能である。
【００６３】
次に、底板４の上に、外筐体２を載置する。この際、底板４の本体４１の表面には、既にスペーサ５１〜５３が適性位置に固着された状態（図８ｂ、図１１ｂ参照）であるので、既にスペーサ５１〜５３によって本体４１上に形成される空間確保手段５に外筐体２の下端部を嵌めこむことにより、外筐体２の位置は固定される。
【００６４】
すなわち、外筐体２の左側板２２の後部の右側面を本体４１の左端及びスペーサ５１の斜向板５１ｂの左端、支板５１ｄ、５１ｅの左端に当接させ、左側板２２の固定片ＳＴ１をスペーサ５１の溝部５１ｆに嵌着させ、外筐体２の右側板２３の後部の左側面を本体４１の右端及びスペーサ５２の斜向板５２ｂの右端、支板５２ｄ、５２ｅの右端に当接させ、右側板２３の固定片ＳＴ２をスペーサ５２の溝部５２ｆに嵌着させ、外筐体２の脊板２４の下部正面を本体４１の背面端部及びスペーサ５３の支板５３ｂ、５３ｃ、５３ｄ、５３ｅの背面に当接させ、背板２４の固定片ＳＴ３をスペーサ５３の溝部５３ｆ及び脊板４３の溝部４３ａに嵌着させることにより、外筐体２の位置は固定される。この場合、外筐体２の落下は、固定片ＳＴ１〜ＳＴ３が底板４の本体４１に載置されることによりにより防止されるが、さらに、上板２１の正面部分が内筐体３の上板３１の正面部分に載置される状態となる（図１参照）ことにより防止されるものである。また、外筐体２の左側板２２、右側板２３、脊板２４の下端部は支持卓６の天板６１の端部に載置されるので、これによっても防止される。
【００６５】
外筐体２は、固定片ＳＴ１が溝部５１ｆに嵌着され、固定片ＳＴ２が溝部５２ｆに嵌着され、固定片ＳＴ３が溝部５３ｆ及び溝部４３ａに嵌着されることによりその位置は安定するので、底板４の本体４１あるいは空間保持手段５のスペーサ５１〜５３に対してさらに堅固に固着させる必要はないが、外筐体２の重量が軽い場合や、安定性に不安を感じる場合には、外筐体２の下端部分を適宜空間保持手段５のスペーサ５１〜５３に螺着等により固着することも当然可能である。
【００６６】
次に、実施例１の小型書斎１における透明部分Ｔ１〜Ｔ９について、詳細に説明する。外筐体２の透明部分Ｔ１は、内筐体３の透明部分Ｔ６に対応する位置に設けられており、透明部分Ｔ１と透明部分Ｔ６は組みつけられた際に窓Ｗ１を構成する（図３、図８ａ参照）。この際、内筐体３の透明部分Ｔ６には不透明素材からなるフードＦＤ１が設けられていて、組みつけられた際に、透明部分Ｔ１と透明部分Ｔ６はフードＦＤ１によって連結状態とされ、フードＦＤ１の作用により、透明部分Ｔ１と透明部分Ｔ６以外からの光は遮断される。
【００６７】
また、フードＦＤ１は、ある程度の幅を有しているので、飾り棚としても使用可能である。例えば、図３においては観葉植物の鉢を置いて、透明部分Ｔ１、透明部分Ｔ６を緑陰で飾っているが、これ以外にも、人形や模型や額など、様々な立体物ＳＯを飾ることが可能である。なお、透明部分Ｔ６は図示しない蝶番によって開閉可能な枠体ＦＲ１に透明素材が嵌めこまれた構成であるので、展示物の交換や観葉植物の水やりなども、小型書斎１の外側から簡単に行える。ＨＤ１は枠体ＦＲ１に固着された把手である。
【００６８】
外筐体２の透明部分Ｔ２は、内筐体３の透明部分Ｔ７に対応する位置に設けられており、透明部分Ｔ２と透明部分Ｔ７は組みつけられた際に額Ｆ１を構成する（図２、図８ａ参照）。この際、外筐体２の透明部分Ｔ２には不透明素材からなるテーパ付きのフードＦＤ２が設けられていて、組みつけられた際に、透明部分Ｔ２と透明部分Ｔ７はフードＦＤ２によって連結状態とされ、フードＦＤ２の作用により、透明部分Ｔ２と透明部分Ｔ７以外からの光は遮断される。
【００６９】
額Ｆ１は、図２に見るように、外側から見た場合にフードＦＤ２に設けられたテーパが適度な奥行き感を演出して、重厚さを盛り上げる。図２に見る使用法では、透明素材に印刷された面状物ＰＬである写真Ｐが透明部分Ｔ７に貼着されているので、写真Ｐを小型書斎１の外側からも内側からも鑑賞することができる。透明部分Ｔ７を小型書斎１の内側から開閉可能とすることにより、写真Ｐの交換も容易に行える。
【００７０】
外筐体２の透明部分Ｔ３は、内筐体３の透明部分Ｔ８に対応する位置に設けられており、透明部分Ｔ３と透明部分Ｔ８は組みつけられた際に窓Ｗ２を構成する（図３、図８ａ参照）。この際、内筐体３の透明部分Ｔ８には不透明素材からなるフードＦＤ３が設けられていて、組みつけられた際に、透明部分Ｔ３と透明部分Ｔ８はフードＦＤ３によって連結状態とされ、フードＦＤ３の作用により、透明部分Ｔ３と透明部分Ｔ８以外からの光は遮断される。実施例１の小型書斎１にては、窓Ｗ２は船の丸窓を思わせる意匠となっているが、むろんこのような意匠に限定されず、他の様々な意匠の窓とすることができるし、窓Ｗ１のようにフードＦＤ３を飾り棚として用いることもむろん可能である。
【００７１】
外筐体２の透明部分Ｔ４は、内筐体３の透明部分Ｔ９に対応する位置に設けられており、透明部分Ｔ４と透明部分Ｔ９は組みつけられた際に飾り棚Ｇを構成する（図３、図８ａ参照）。この際、内筐体３の透明部分Ｔ４には透明素材からなるフードＦＤ４が設けられており、組みつけられた際に、透明部分Ｔ４と透明部分Ｔ９はフードＦＤ４によって連結状態とされ、フードＦＤ４の作用により、透明部分Ｔ１と透明部分Ｔ６からの光に加えて、外筐体２と内筐体３の間の空間Ｓ（図１参照）からの光によっても飾り棚Ｇは照明される。したがって、図１に見るように、スペーサ５３によって生じる間隙部分や外筐体２の上板２１の底面後部などに適宜光源Ｌ１、Ｌ２等を設置することにより、フードＦＤ４を透過する光によって飾り棚Ｇを照明することが可能である。
【００７２】
実施例１の小型書斎１においては、フードＦＤ４のみならず、棚ＳＨ１（フードＦＤ４の底面）、ＳＨ２、ＳＨ３もすべて透明であるので、立体物ＳＯである展示物（人形や電車の模型や鉢植えなど）は、さまざまな方向からの光を受けて美しく鑑賞される。なお、透明部分Ｔ４は図示しない蝶番によって開閉可能な枠体ＦＲ２に透明素材が嵌めこまれた構成であるので、展示物の交換や鉢植えの水やりなども、小型書斎１の外側から簡単に行える。ＨＤ２は枠体ＦＲ２に固着された把手である。
【００７３】
透過部分５は内筐体３の上板３１に設けられていて、光源Ｌ１（図１参照）からの光を内筐体３の内部に透過させる。これにより、内筐体３の内部を柔らかい間接光によって照明することが可能である。実施例１の小型書斎１においては、透過部分５は丸窓の形態であるが、無論いかなる形態もとり得るものである。また、光源Ｌ１、光源Ｌ２共にコードｃによって内筐体３の上板３１の段部Ｒ１の上面に設けられたスイッチボックスＳＢに連結されており、段部Ｒ１の下面に設けられたスイッチＳＷ１により光源Ｌ１の点灯、消灯が行われ、スイッチＳＷ２により光源Ｌ２の点灯、消灯が行われる。なお、光源Ｌ１、光源Ｌ２は、挿通孔Ｈ１、Ｈ２に挿通され、支持卓６の脚６２ｄ内部に挿通されたコードｃによって桟６３ｃに載置固定されたコンセントＣに連結されている。図１に示すパソコンＰＳやモニタＭＯからのコードｃも同一の経路によってコンセントＣに連結されている。
【００７４】
また、図１にては、光源Ｌ１を外筐体２に固着した状態にて示しているが、光源Ｌ１を内筐体３に固着した状態とすることも無論可能である。この場合には、照明効果はさほど変わらないが、光源Ｌ１が内筐体３の付属品となるので、例えば内筐体３をそっくり別の内筐体（図示せず）に交換して雰囲気の違いを楽しむといった用い方をされる場合においても、内筐体を照明ごと交換でき、照明により異なった雰囲気の演出が可能となるという利点が齎される。
【００７５】
次に実施例１の小型書斎１の作用について、詳細に説明する。図１、図２は実施例１の小型書斎１の使用中の状態の１例を示すものであるが、実施例１の小型書斎１を使用する際には、内筐体３の上板３１の正面に蝶着された庇板３５を上方に折りあげて水平状態とし、支承板３６、３７を前方に転回させて庇板３５が支承板３６、３７に支承される状態とする。次に、支持卓６の支承板６５、６６を、長手方向が前後方向と平行になるように前方に回動させ、底板４の本体４１の正面に蝶着された展開板４２を下方に折り下げて支承板６５、６６の上に展開板４２が水平に載置される状態とする。これにて、底板４の本体４１と展開板４２は全体がフラットな机の天板として使用できるようになる。
【００７６】
図１、図２においては、実施例１の小型書斎１にパソコンＰＳ、モニタＭＯ、キーボードＫＹ、マウスＭＴを載置して、パソコンラック的に用いている状態を示す。この際、庇３５、支承板３６、３７が外光を適当に遮蔽するのでモニタＭＯが見やすく、また囲われた雰囲気が生じるので作業に集中できる。さらに手許は、スイッチＳＷ１により光源Ｌ１を点灯させることによって、間接光によって柔らかく照らされる。また、底板４の展開板４２は使用者ＨＭから見て右手前側が前後方向に長めに形成されているので、マウスＭＴ用のテーブルとして快適に使用できるものである。また、パソコンＰＳやモニタＭＯからのコードｃは前述の経路によってコンセントＣに連結されるので、余分なコード類によって作業スペースが狭まることもない。なお、パソコンＰＳは、支持卓６のいずれかの場所に専用の設置スペース（図示せず）を設け、そこに載置するようにしても良い。
【００７７】
図４はパソコンやモニタ等を載置せず、普通の机として用いている状態を、使用者の視点から描いたものであるが、庇３５、支承板３６、３７の作用によって囲われた空間が現出され、しかも、窓Ｗ１、窓Ｗ２、額Ｆ１、飾り棚Ｇが自然に目に入る。窓Ｗ１や飾り棚Ｇには使用者個人の好みの立体物ＳＯである展示物を飾り、また額Ｆ１にはやはり使用者個人の好みの面状物ＰＬである写真Ｐ（図２参照）を飾ることができるので、個人的な空間としてのやすらぎを充分に得ることが可能である。さらには、カーテンレールＣＲ１、ＣＲ２を設置すれば（図４参照）、自分の好みの柄や色のカーテンＣ１、Ｃ２を架けて楽しむこともできる。そして、小型書斎１の内部空間全体は、内筐体３の上板３１の透過部分Ｔ５から射しこむ間接照明の柔らかな光に照らされる。
【００７８】
次に、実施例１の小型書斎１を外側から見た状態は、図２、図３に示すとおりである。実施例１の小型書斎１は、図２、図３に示すように、外側から見ても窓Ｗ１、Ｗ２、額Ｆ１、飾り棚Ｇが眼に入り、窓Ｗ１に飾られた立体物ＳＯである観葉植物や額Ｆ１の面状物ＰＬである写真Ｐ、飾り棚Ｇに飾られた立体物ＳＯであるいろいろな展示物が眼に入り、極めて雅趣に富む外観を見せるものであり、使用者ＨＭ以外の人にとっても、一種の飾り棚として楽しめるものである。また、光源Ｌ１、Ｌ２を点灯した状態では窓Ｗ１、Ｗ２、額Ｆ１、飾り棚Ｇから光が漏れ、特に飾り棚ＧにおいてはフードＦＤ４（図３参照）が透明であるので、展示物が明るく照らされて展示効果は頗る大となる。居室（図示せず）内の灯りを消した状態で光源Ｌ１、Ｌ２を点灯すれば、暗闇の中に窓Ｗ１、Ｗ２、額Ｆ１、飾り棚Ｇが明るく浮かんで、また別の趣を生ずるものとなる。
【００７９】
なお、使用者ＨＭとそれ以外の人の趣味嗜好が著しく異なる場合には、例えば飾り棚Ｇにおいて、透過部分Ｔ４と透過部分Ｔ９（図８ａ参照）の位置をずらせて両者が重ならないようにすることにより、使用者ＨＭが透過部分Ｔ９により目にする立体物ＳＯである展示物とそれ以外の人が透過部分Ｔ４により目にする立体物ＳＯである展示物とを変えることにより、両者が満足できる効果を得ることができる。この点は、窓Ｗ１、額Ｆ１においても同様である。
【００８０】
図１３は、実施例１の小型書斎１において、飾り棚Ｇ（図１参照）を額Ｆ２に交換した例を示すものである。外筐体２に設けられた透過部分Ｔ１０と内筐体３に設けられた透過部分Ｔ１１が重なって、額Ｆ２が構成されている。透過部分Ｔ１０と透過部分Ｔ１１は、その大部分において間に写真や絵等の面状物ＰＬ１、ＰＬ２を挟着展示できるぎりぎりの間隔にまで近接させられており、面状物ＰＬ１、ＰＬ２は透過部分Ｔ１０と透過部分Ｔ１１の間に挟着されることにより固定されている。図１３にては、面状物ＰＬ１と面状物ＰＬ２は共に不透明で、面状物ＰＬ１は表面を外側に向けた状態で、面状物ＰＬ２は表面を内側に向けた状態で展示されている。したがって、使用者（図示せず）側から見ると面状物ＰＬ２が目に入り、外側から見る人（図示せず）には面状物ＰＬ１が目に入る状態となっている。
【００８１】
この際、面状物ＰＬ１、ＰＬ２に変えて、透明性の高い面状物（図示せず）を１枚用いれば、使用者側からも外側からも同一内容の面状物を見ることが可能となる。また、透過部分Ｔ１０の周辺にはくびれ部Ｎが連続的に形成されており、くびれ部Ｎの作用により、面状物ＰＬ１、ＰＬ２の滑落や横滑りが防止されている。くびれ部Ｎは、使用者側からも外側からも面状物ＰＬ１、ＰＬ２の周囲を囲繞する透明の溝状のラインとして見えるので、面状物ＰＬ１、ＰＬ２の一種の額縁的な視覚効果を有するものである。
【００８２】
図１４には、支持卓７を示す。支持卓６は居室内のいずれの場所にても設置できる汎用性の高い支持卓の一つのスタイルを示すものであったが、図１４に示す支持卓７は、例えばベッドサイドやソファサイドなどに小型書斎１の上部を設置するために案出された構成を示すものである。支持卓７は、長方形状の第１天板７１と第１天板７１と同形同大の第２天板７２、円柱状の脚７３、脚７３の下端部が固定される台板７７、台板７７の両端部下部に固着され、台板７７から延伸された桟７８ａ、７８ｂより構成され、桟７８ａ、７８ｂの両端部にはキャスタＣＴが夫々配設されている。
【００８３】
第１天板７１は脚７３の内部に固着された枢軸７３ａに回動可能に枢設されている。一方、第１天板７１と同形同大の第２天板７２は枢軸７３ａ、脚７３に固着されている。したがって、第１天板７１は第２天板７２に対して相対的に回動可能に構成されている。なお、枢軸７３ａは中空で、枢軸７３ａの上端は第１天板７１の表面に露出させられており、枢軸７３ａの中空部分の上端が第１天板７１の表面に挿通孔Ｈ５として開口している。
【００８４】
第１天板７１の表面には、４隅に薄い円盤状の支承凸部７４ａ〜７４ｄが突設固着されており、支承凸部７４ａの中心にはネジ孔ｈ９が、支承凸部７４ｂの中心にはネジ孔ｈ１０が、支承凸部７４ｃの中心にはネジ孔ｈ１１が、支承凸部７４ｄの中心にはネジ孔ｈ１２が、夫々穿設されている。小型書斎１の底面４を支持卓７に組付けた際に、ネジ孔ｈ９は底面４の本体４１のネジ孔ｈ１に、ネジ孔ｈ１０は底面４の本体４１のネジ孔ｈ２に、ネジ孔ｈ１１は底面４の本体４１のネジ孔ｈ３に、ネジ孔ｈ１２は底面４の本体４１のネジ孔ｈ４に、夫々重なる位置に穿設されている。なお、支承凸部７４ａ〜７４ｄは、ネジ孔ｈ９〜ｈ１２以外の部分を弾性体製とすることにより、その上に載置される外筐体２、内筐体３、底板４の安定性を高めることができる。
【００８５】
支持卓７の第１天板７１の正面側には、左方に支承板７５が、右方に支承板７６が、夫々第１天板７１に対して回動自在に枢設されている。支承板７５は長円形状の本体７５ａの一端が枢軸７５ｂによって第１天板７１に枢設され、支承板７６は長円形状の本体７６ａの一端が枢軸７６ｂによって第１天板７１に枢設されている。支承板７５、７６は、小型書斎１の底板４の展開板４２が前方に展開された際には、展開板４２を支承するために、２点鎖線にて示すように、本体７５ａ、７６ａの長軸方向が第１天板７１の長手方向に直角になるように前方に回動させられるものである。
【００８６】
脚７３の下部には挿通孔Ｈ６が穿設されており、コードｃは第１天板７１の挿通孔５から枢軸７３ａ内部に挿通され、脚７３の下部の挿通孔Ｈ６から導出される。台板７７は第２天板７２の３分の２程度の面積を有するので、コンセントＣを充分に安定的に載置可能である。あるいは、台板７７にパソコンＰＳ（図１参照）を載置しても無論構わない。また、脚７３は、適宜高さ調節機構（図示せず）付きのものとすることも無論可能である。
【００８７】
支持卓７の作用は、図１５ａ〜図１５ｃに示すとおりである。すなわち、使用者ＨＭがベッドＢ上に上半身を起こした姿勢で用いる場合（図１５ａ）には、第１天板７１を第２天板７２に対して略直角になる位置にまで回動させて、第１天板７１の正面が使用者ＨＭの上半身に対して対向するように位置させる。このようにすることにより、第１天板７１上に小型書斎１の底板４が載置固定されると（この状態は図示しない）、小型書斎１の上部正面が使用者ＨＭの上半身に対面する位置となり、使用者ＨＭはベッドＢ上に上半身を起こした姿勢で小型書斎１を使用可能となる。
【００８８】
次に、図１５ｂには、使用者ＨＭがベッドＢの側面側に腰かけた姿勢で用いる場合を示す。この場合にもやはり、第１天板７１を第２天板７２に対して略直角になる位置にまで回動させて、第１天板７１の正面が使用者ＨＭの上半身に対して対向するように位置させる。こうすることにより、第１天板７１上に小型書斎１の底板４が載置固定されると（この状態は図示しない）、小型書斎１の上部正面が使用者ＨＭの上半身に対面する位置となり、使用者ＨＭは第１天板７１上に載置固定された小型書斎１の上部を使用することができる。
【００８９】
また、図１５ｃには不使用時の状態を示す。この場合には、図１５ａあるいは図１５ｂの状態から第１天板７１を反時計回りに回動させて第１天板７１と第２天板７２を重ねた状態にし、さらに全体の長手方向をベッドＢの長手方向に平行にする。こうすることにより小型書斎１全体はコンパクトに畳まれて、邪魔になることがない。なお、以上の使用方法は、図１５ａ〜図１５ｃにて、使用者ＨＭから見てベッドＢの右端に支持卓７を配置させて用いる方法を示しているが、使用者ＨＭから見てベッドＢの左端に配置させたい場合には、脚７３を第１天板７１の右方に配設した構成を用いれば良い。
【００９０】
次に、図１６〜図１８には、内筐体を空間確保手段に固定する場合の、別の固定方法を示す。図１６ａの内筐体３０は、既述の内筐体３と略同様の構成であるが、次の点においてのみその構成を異にする。すなわち、内筐体３においては左側板３２の左側面下端には平面視が三角形状の小片である固定片ＳＴ４が、右側板３３の右側面下端には平面視が三角形状の小片である固定片ＳＴ５が、夫々突設されていたが（図１０ａ、図１０ｂ参照）、図１６ａ、図１６ｂに示す内筐体３０においては、左側板３２０の左側面下端には固定片ＳＴ４に変えて凸条ＴＲ１が、右側板３３０の右側面下端には固定片ＳＴ５に変えて凸条ＴＲ２が、夫々突設固着されている。なお、３１０は上板である。
【００９１】
凸条ＴＲ１には図１６ｂに実線で、図１８ａに２点鎖線で示すように、後端部近傍において不連続部Ｄ１が設けられており、不連続部Ｄ１の前後で丸められている。また、凸条ＴＲ１の後端も丸められている。同じく凸条ＴＲ２には図１６ａに実線で、図１８ｂに２点鎖線で示すように、後端部近傍において不連続部Ｄ２が設けられており、不連続部Ｄ２の前後で丸められている。また、凸条ＴＲ２の後端も丸められている。
【００９２】
図１７ａ、図１７ｂには内筐体３０が固定される空間確保手段５０を示す。空間確保手段５０は、スペーサ５１０、５２０、５３０から構成されており、スペーサ５３０は空間確保手段５のスペーサ５３と略同様の構成であるが、スペーサ５１０、５２０は空間確保手段５のスペーサ５１、５２とはややその構成を異にする。
【００９３】
スペーサ５１０においては、本体５１１の正面に斜向板５１２が一体に連接され、本体５１１の左側面に支板５１３、５１４が本体５１１と一体に突設され、支板５１３、５１４の間に溝部５１５が形成されている。斜向板５１２はスペーサ５１の斜向板５１ｂと、支板５１３、５１４はスペーサ５１の支板５１ｄ、５１ｅと、溝部５１５はスペーサ５１の溝部５１ｆと略同様の構成であるが、本体５１１はスペーサ５１の本体５１ａとはやや構成を異にし、スペーサ５１の本体５１ａにおける凹部５１ｃを有せず、本体５１１の右側面に内筐体３０の凸条ＴＲ１が嵌入摺動可能な水平の溝部５１６を有しており、溝部５１６の後端部には係止機構５１７が設けられている。
【００９４】
係止機構５１７は、図１８ａに見るように、本体５１１の右側面に穿設された溝部５１６の後端部近傍上部に設けられた凹部Ｕ１ａ、後端部近傍下部に設けられた凹部Ｕ１ｂと、凹部Ｕ１ａにコイルばねＳＰ１ａを介して装着された係止球Ｑ１ａ、凹部Ｕ１ｂにコイルばねＳＰ１ｂを介して装着された係止球Ｑ１ｂからなる。コイルばねＳＰ１ａの上端は凹部Ｕ１ａの上面に固着され、コイルばねＳＰ１ａの下端は係止球Ｑ１ａに固着されている。また、コイルばねＳＰ１ｂの下端は凹部Ｕ１ｂの底面に固着され、コイルばねＳＰ１ｂの上端は係止球Ｑ１ｂに固着されている。この結果として、係止球Ｑ１ａ、Ｑ１ｂは、共にその半分位が溝部５１６内に露出するように構成されている。
【００９５】
スペーサ５２０においては、本体５２１の正面に斜向板５２２が一体に連接され（図１７ｂ参照）、本体５２１の右側面に支板５２３、５２４が本体５２１と一体に突設され、支板５２３、５２４の間に溝部５２５が形成されている。斜向板５２２はスペーサ５２の斜向板５２ｂと、支板５２３、５２４はスペーサ５２の支板５２ｄ、５２ｅと、溝部５２５はスペーサ５２の溝部５２ｆと略同様の構成であるが、本体５２１はスペーサ５２の本体５２ａとはやや構成を異にし、スペーサ５２の本体５２ａにおける凹部５２ｃを有せず、本体５２１の左側面に内筐体３０の凸条ＴＲ２が嵌入摺動可能な水平の溝部５２６を有しており、溝部５２６の後端部には係止機構５２７が設けられている。
【００９６】
係止機構５２７は、図１８ｂに見るように、本体５２１の左側面に穿設された溝部５２６の後端部近傍上部に設けられた凹部Ｕ２ａ、後端部近傍下部に設けられた凹部Ｕ２ｂと、凹部Ｕ２ａにコイルばねＳＰ２ａを介して装着された係止球Ｑ２ａ、凹部Ｕ２ｂにコイルばねＳＰ２ｂを介して装着された係止球Ｑ２ｂからなる。コイルばねＳＰ２ａの上端は凹部Ｕ２ａの上面に固着され、コイルばねＳＰ２ａの下端は係止球Ｑ２ａに固着されている。また、コイルばねＳＰ２ｂの下端は凹部Ｕ２ｂの底面に固着され、コイルばねＳＰ２ｂの上端は係止球Ｑ２ｂに固着されている。この結果として、係止球Ｑ２ａ、Ｑ２ｂは、共にその半分位が溝部５２６内に露出するように構成されている。
【００９７】
次に、内筐体３０をスペーサ５０に固定する方法を述べる。内筐体３０の左側面に突設された凸条ＴＲ１の後端部をスペーサ５１０の本体５１１の溝部５１６の正面端部に位置させ、内筐体３０の右側面に突設された凸条ＴＲ２の後端部をスペーサ５２０の本体５２１の溝部５２６の正面端部に位置させ、内筐体３０を後方に押しこむ。これにより、凸条ＴＲ１は溝部５１６内を後方に摺動し、凸条ＴＲ２は溝部５２６内を後方に摺動し、内筐体３０全体が後方に水平移動する。そして、凸条ＴＲ１の後端部がスペーサ５１０の係止機構５１７に当接し、凸条ＴＲ２の後端部がスペーサ５２０の係止機構５２７に当接すると、凸条ＴＲ１の後端部は係止機構５１７の係止球Ｑ１ａを上方に押圧し、係止球Ｑ１ｂを下方に押圧し、凸条ＴＲ２の後端部は係止機構５２７の係止球Ｑ２ａを上方に押圧し、係止球Ｑ２ｂを下方に押圧する。
【００９８】
上方に押圧された係止球Ｑ１ａはコイルばねＳＰ１ａを圧縮し、コイルばねＳＰ１ａは下方に付勢される。一方下方に押圧された係止球Ｑ１ｂはコイルばねＳＰ１ｂを圧縮し、コイルばねＳＰ１ｂは上方に付勢される。また、上方に押圧された係止球Ｑ２ａはコイルばねＳＰ２ａを圧縮し、コイルばねＳＰ２ａは下方に付勢される。一方下方に押圧された係止球Ｑ２ｂはコイルばねＳＰ２ｂを圧縮し、コイルばねＳＰ２ｂは上方に付勢される。
【００９９】
凸条ＴＲ１の後端部が係止機構５１７を通過し、凸条ＴＲ２の後端部が係止機構５２７を通過すると、凸条ＴＲ１の不連続部Ｄ１が係止機構５１７に、凸条ＴＲ２の不連続部Ｄ２が係止機構５２７に、夫々位置する。この状態で、コイルばねＳＰ１ａの反発力により係止球Ｑ１ａは下方に、コイルばねＳＰ１ｂの反発力により係止球Ｑ１ｂは上方に移動し、係止球Ｑ１ａ、Ｑ１ｂは不連続部Ｄ１に嵌りこむ。また、コイルばねＳＰ２ａの反発力により係止球Ｑ２ａは下方に、コイルばねＳＰ２ｂの反発力により係止球Ｑ２ｂは上方に移動し、係止球Ｑ２ａ、Ｑ２ｂは不連続部Ｄ２に嵌りこむ。
【０１００】
これにより内筐体３０に固着された凸条ＴＲ１はスペーサ５１０に対して固定され、同じく内筐体３０に固着された凸条ＴＲ２はスペーサ５２０に対して固定されるので、内筐体３０が空間確保手段５０に対して固定されることになる。なお、内筐体３０を空間確保手段５０に対して固定解除する場合には、上記と逆のプロセスによって行われる。すなわち、内筐体３０を前方に引き抜くことにより、凸条ＴＲ１がスペーサ５１０の係止機構５１７から解除され、凸条ＴＲ２がスペーサ５２０の係止機構５２７から解除され、内筐体３０を空間確保手段３０から分離させることが可能となる。
【産業上の利用可能性】
【０１０１】
本発明の小型書斎の他の展開例について若干の補足をしておく。本発明の小型書斎は、外筐体と内筐体の間に空間あるいは空隙を設けられる点が大きな特徴となっているが、この特徴を活かし、例えば外筐体と内筐体の間の空間に水槽を設置して小型の水族館として楽しむことも可能である。この場合、外筐体と内筐体の両方を透明素材とすれば内側からも外側からも水槽に泳ぐ魚や揺れる水草の風情を楽しむことができるし、どちらか一方を透明にすれば、透明にした側から水槽の眺めを楽しむことができる。水槽は、使用者側から見て、正面と両側面の３方向を囲繞するように設けても良いし、外筐体と内筐体の間の空間の一部だけに設けても良い。また、場合によっては天井部分に、あるいは底面部分に設けることも可能である。
【０１０２】
また、本発明の小型書斎の外筐体と内筐体の間に液晶やプラズマを用いた所謂「薄型テレビ」を設置しても良い。この場合、テレビ画面の正面側に位置する部分を透明素材で作れば、その方向からテレビ画面を鑑賞することが可能である。すなわち、テレビ画面の正面を使用者側に向けてテレビ画面の正面に対向している内筐体の部分を透明素材で作れば、小型書斎の使用者がパーソナルテレビとして楽しむことができるし、テレビ画面の正面を外側に向けてテレビ画面の正面に対向している外筐体の部分を透明素材で作れば、小型書斎全体は外側に向けては一種のテレビ装置となり、使用者以外の人も小型書斎をテレビ装置として楽しむことができる。
【０１０３】
あるいは、本発明の小型書斎の外筐体と内筐体の間の空間に薄型の冷蔵庫を仕組めば、缶入り飲料や瓶入り飲料を冷蔵するのに最適の冷蔵装置として用いることも可能である。さらに、本発明の小型書斎の外筐体の一部を外側に向けた鏡として作れば、小型書斎の使用者以外の人も、姿見として用いることができるし、マグネットボードやコルクボードとして作れば、メモ等の掲示板として用いることが可能である。このように、本発明の小型書斎は、外筐体と内筐体という２重の筐体を有するが故に生活空間や生活様式に合わせた様々な展開が可能となる。
【０１０４】
また、本発明の小型書斎においては、凡そのサイズと固定方法のみが同じで、装飾品や照明装置においては性格の異なる内筐体を複数用意しておき、使用者が変わったり、あるいは同一の使用者においても気分を変えたいときなどに、好みに合った内筐体に交換することも可能である。このようにすれば、複数の使用者による利用も可能となるし、同一の使用者においても飽きることなく永続的に楽しめるものとなる。本発明の小型書斎は、上記のようにさまざまな展開の可能性を有しているが故に、豊富な産業上の利用可能性を有するものである。
【図面の簡単な説明】
【０１０５】
【図１】本発明の実施例１の小型書斎の要部の縦断面図である。
【図２】本発明の実施例１の小型書斎の正面右手側から見た使用時の外観斜視図である。
【図３】本発明の実施例１の小型書斎の背面左手側から見た使用時の外観斜視図である。
【図４】本発明の実施例１の小型書斎の使用者の視線から見た一部を省略した使用時の外観斜視図である。
【図５】本発明の実施例１の小型書斎の正面右手側から見た不使用時の外観斜視図である。
【図６】本発明の実施例１の小型書斎の上部を正面右手側から見た不使用時の外観斜視図で、底板から外筐体及び内筐体を若干持ち上げた状態を示す。
【図７】（ａ）本発明の実施例１の小型書斎の使用時の上部（支持卓以外の部分）の底面図である。    （ｂ）本発明の実施例１の小型書斎の支持卓の平面図である。
【図８】（ａ）本発明の実施例１の小型書斎の使用時において、上部（支持卓以外の部分）から底板を取り除いた状態を示す底面図である。    （ｂ）本発明の実施例１の小型書斎の底板の使用時の平面図で、空間確保手段を組付けた状態で示す。
【図９】（ａ）本発明の実施例１の小型書斎の外筐体の正面右手側から見た外観斜視図である。    （ｂ）本発明の実施例１の小型書斎の外筐体の正面左手側から見た外観斜視図である。
【図１０】（ａ）本発明の実施例１の小型書斎の内筐体の正面右手側から見た展開時（使用時）の外観斜視図である。    （ｂ）本発明の実施例１の小型書斎の内筐体の背面左手側から見た展開時（使用時）の外観斜視図である。
【図１１】（ａ）本発明の実施例１の小型書斎の底板と空間確保手段の組付前の外観斜視図である。    （ｂ）本発明の実施例１の小型書斎の底板と空間確保手段の組付後の外観斜視図である。
【図１２】本発明の実施例１の小型書斎の支持卓の正面右手側から見た外観斜視図である。
【図１３】本発明の実施例１の小型書斎の透過部分の別の一例を示す要部の縦断面図である。
【図１４】本発明の実施例１の小型書斎の支持卓の別の一例の外観斜視図である。
【図１５】（ａ）本発明の実施例１の小型書斎をベッドと組み合わせて使用する際の作用を説明する説明図である。（ｂ）本発明の実施例１の小型書斎をベッドと組み合わせて使用する際の作用を説明する説明図である。（ｃ）本発明の実施例１の小型書斎をベッドと組み合わせて使用する際の作用を説明する説明図である。
【図１６】（ａ）本発明の実施例１の小型書斎の凸条を有する内筐体の正面右手側から見た展開時（使用時）の外観斜視図である。    （ｂ）本発明の実施例１の小型書斎の凸条を有する内筐体の背面左手側から見た展開時（使用時）の外観斜視図である。
【図１７】（ａ）本発明の実施例１の小型書斎の底板と凸条を有する内筐体に対応する空間確保手段の組付後の正面右手側から見た外観斜視図である。    （ｂ）本発明の実施例１の小型書斎の底板と凸条を有する内筐体に対応する空間確保手段の組付後の正面左手側から見た外観斜視図である。
【図１８】（ａ）本発明の実施例１の小型書斎の凸条を有する内筐体に対応する空間確保手段の左方のスペーサの係止機構の要部の一部を切欠した右側面図である。    （ｂ）本発明の実施例１の小型書斎の凸条を有する内筐体に対応する空間確保手段の右方のスペーサの係止機構の要部の一部を切欠した左側面図である。
【符号の説明】
【０１０６】
１        小型書斎
２        外筐体
２１      上板
２２      左側板
２３      右側板
２４      脊板
３        内筐体
３０      内筐体
３１      上板
３１０    上板
３２      左側板
３２０    左側板
３３      右側板
３３０    右側板
３４      脊板
３５      庇板
３５ａ    端部
３６      支承板
３７      支承板
４        底板
４１      本体
４２      展開板
４２ａ    端部
４３      脊板
４３ａ    溝部
５        空間確保手段
５０      空間確保手段
５１      スペーサ
５１０    スペーサ
５１１    本体
５１２    斜向板
５１３    支板
５１４    支板
５１５    溝部
５１６    溝部
５１７    係止機構
５１ａ    本体
５１ｂ    斜向板
５１ｃ    凹部
５１ｄ    支板
５１ｅ    支板
５１ｆ    溝部
５２      スペーサ
５２０    スペーサ
５２１    本体
５２２    斜向板
５２３    支板
５２４    支板
５２５    溝部
５２６    溝部
５２７    係止機構
５２ａ    本体
５２ｂ    斜向板
５２ｃ    凹部
５２ｄ    支板
５２ｅ    支板
５２ｆ    溝部
５２ｂ    凹部
５３      スペーサ
５３０    スペーサ
５３ａ    本体
５３ｂ    支板
５３ｃ    支板
５３ｄ    支板
５３
５３ｆ    溝部
６        支持卓
６１      天板
６２ａ    脚
６２ｂ    脚
６２ｃ    脚
６２ｄ    脚
６３ａ    桟
６３ｂ    桟
６３ｃ    桟
６４ａ    支承凸部
６４ｂ    支承凸部
６４ｃ    支承凸部
６４ｄ    支承凸部
６５      支承板
６５ａ    本体
６５ｂ    枢軸
６６      支承板
６６ａ    本体
６６ｂ    枢軸
７        支持卓
７１      天板
７２      支承天板
７３      脚
７３ａ    枢軸
７４ａ    支承凸部
７４ｂ    支承凸部
７４ｃ    支承凸部
７４ｄ    支承凸部
７５      支承板
７５ａ    本体
７５ｂ    枢軸
７６      支承板
７６ａ    本体
７６ｂ    枢軸
７７      台板
７８ａ    桟
７８ｂ    桟
Ｂ        ベッド
Ｃ        コンセント
Ｃ１      カーテン
Ｃ２      カーテン
ＣＲ１    カーテンレール
ＣＲ２    カーテンレール
ＣＴ      キャスタ
Ｄ１      不連続部分
Ｄ２      不連続部分
Ｆ１      額
Ｆ２      額
ＦＤ１    フード
ＦＤ２    フード
ＦＤ３    フード
ＦＤ４    フード
ＦＲ１    枠体
ＦＲ２    枠体
Ｇ        飾り棚
Ｈ１      挿通孔
Ｈ２      挿通孔
Ｈ３      挿通孔
Ｈ４      挿通孔
Ｈ５      挿通孔
Ｈ６      挿通孔
ＨＤ１    把手
ＨＤ２    把手
ＨＭ      使用者
ＫＹ      キーボード
Ｌ１      光源
Ｌ２      光源
ＭＴ      マウス
ＭＯ      モニタ
Ｎ        くびれ部
Ｐ        写真
ＰＬ      面状物
ＰＬ１    面状物
ＰＬ２    面状物
ＰＳ      パソコン
Ｑ１ａ    係止球
Ｑ１ｂ    係止球
Ｑ２ａ    係止球
Ｑ２ｂ    係止球
Ｒ１      段部
Ｒ２      段部
Ｒ３      段部
Ｓ        空間
ＳＢ      スイッチボックス
ＳＨ１    棚
ＳＨ２    棚
ＳＨ３    棚
ＳＯ      立体物
ＳＰ１ａ  コイルばね
ＳＰ１ｂ  コイルばね
ＳＰ２ａ  コイルばね
ＳＰ２ｂ  コイルばね
ＳＴ１    固定片
ＳＴ２    固定片
ＳＴ３    固定片
ＳＴ４    固定片
ＳＴ５    固定片
ＳＷ１    スイッチ
ＳＷ２    スイッチ
Ｔ１      透過部分
Ｔ２      透過部分
Ｔ３      透過部分
Ｔ４      透過部分
Ｔ５      透過部分
Ｔ６      透過部分
Ｔ７      透過部分
Ｔ８      透過部分
Ｔ９      透過部分
Ｔ１０    透過部分
Ｔ１１    透過部分
ＴＲ１    凸条
ＴＲ２    凸条
Ｕ１ａ    凹部
Ｕ１ｂ    凹部
Ｕ２ａ    凹部
Ｕ２ｂ    凹部
Ｗ１      窓
Ｗ２      窓
ｃ        コード
ｈ１      ネジ孔
ｈ２      ネジ孔
ｈ３      ネジ孔
ｈ４      ネジ孔
ｈ５      ネジ孔
ｈ６      ネジ孔
ｈ７      ネジ孔
ｈ８      ネジ孔
ｈ９      ネジ孔
ｈ１０    ネジ孔
ｈ１１    ネジ孔
ｈ１２    ネジ孔
【図１】
2008301991.tif 000003
【図２】
2008301991.tif 000004
【図３】
2008301991.tif 000005
【図４】
2008301991.tif 000006
【図５】
2008301991.tif 000007
【図６】
2008301991.tif 000008
【図７】
2008301991.tif 000009
【図８】
2008301991.tif 000010
【図９】
2008301991.tif 000011
【図１０】
2008301991.tif 000012
【図１１】
2008301991.tif 000013
【図１２】
2008301991.tif 000014
【図１３】
2008301991.tif 000015
【図１４】
2008301991.tif 000016
【図１５】
2008301991.tif 000017
【図１６】
2008301991.tif 000018
【図１７】
2008301991.tif 000019
【図１８】
2008301991.tif 000020